(57)【要約】【課題】  スナック菓子の袋等を力を入れて切断できること。【解決手段】  このクリップカッター１００は、下部片３及び上部片４とからなり切断対象物を挟むクリップ部１と、その上面に設けたカッター部２とから構成される。クリップ部１は、楕円形の挟み部５とつまみ部６とを備える。上部片４の上面には、カッター片１２が設けられている。カッター片１２の後端にはつまみ部１５が形成される。カッター片１２の先端側の下部には、刃１６が設けられている。カッター片１２を開いて切断対象物を挿入し、スライドさせることで袋等の切断対象物を切断でき、切断対象物をクリップ部１で挟んで固定できる。また、カッター片１２を押さえ、切断対象物の袋等の端を持って力を入れてスライドできるため、多少厚いものであっても綺麗に切断できる。【選択図】  図６
2013052107.tif 000002
【特許請求の範囲】
【請求項１】
下部片及び上部片が軸を中心に回動状態で連結され後方につまみ部が形成されたクリップ部と、
前記上部片の上面に軸を中心に回動状態で連結され且つ後端につまみ部が設けられ、先端側の下部に刃が設けられたカッター片を有するカッター部と、
を備えたことを特徴とするクリップカッター。
【請求項２】
前記刃は、両刃であることを特徴とする請求項１に記載のクリップカッター。
【請求項３】
前記カッター部の前記上部片の上面には、前記刃の先端が入る窪みが設けられていることを特徴とする請求項１又は２に記載のクリップカッター。
【発明の詳細な説明】
【技術分野】
【０００１】
本発明は、スナック菓子等の袋や手紙等の切断対象物を切断し、切断部分をクリップでとめるクリップカッターに関するものである。
【背景技術】
【０００２】
従来から特許文献１に記載のようなカッター兼クリップが知られている。このカッター兼クリップは、平板状のクリップ本体からカッター部が飛び出し、カッター部には、指が入らないような切り込みが設けられ、この切り込みの奥に刃が設けられた構成である。また、クリップ本体にはキャラクター部材が設けられ、このキャラクター部材がクリップとして機能する。
【０００３】
このカッター兼クリップは、使用時にクリップ本体からカッター部を突出させ、スナック菓子等の収納袋を切断し、切断した収納袋をクリップにより閉じる構造である。
【先行技術文献】
【特許文献】
【０００４】
【特許文献１】実用新案登録第３０６９８８８号公報
【発明の概要】
【発明が解決しようとする課題】
【０００５】
しかしながら、上記従来のカッター兼クリップは、切り込みの奥に刃を設け、切り込みに袋の端を通して奥の刃で切断するため、力を入れて切断することが難しかった。また、袋の端から切断する他なかった。
【課題を解決するための手段】
【０００６】
第１の発明に係るクリップカッターは、下部片及び上部片が軸を中心に回動状態で連結され後方につまみ部が形成されたクリップ部と、前記上部片の上面に軸を中心に回動状態で連結され且つ後端につまみ部が設けられ、先端側の下部に刃が設けられたカッター片を有するカッター部と、
を備えたことを特徴とする。
【０００７】
第２の発明に係るクリップカッターは、上記発明において、前記刃が両刃であることを特徴とする。
【０００８】
第３の発明に係るクリップカッターは、上記発明において、前記上部片の上面には、前記刃の先端が入る窪みが設けられていることを特徴とする。
【図面の簡単な説明】
【０００９】
【図１】この発明の実施の形態に係るクリップカッターを示す平面図である。
【図２】図１に示したクリップカッターを示す右側面図である。
【図３】図１に示したクリップカッターの底面図である。
【図４】図１に示したクリップカッターの正面図である。
【図５】図１に示したクリップカッターの背面図である。
【図６】図１に示したクリップカッターを示す断面図である。
【図７】このクリップカッターの使用方法を示す説明図である。
【図８】このクリップカッターの使用方法を示す説明図である。
【図９】このクリップカッターの切断時の使用状態を示す右側面図である。
【図１０】図１に示したクリップカッターの切断時の使用状態を示す正面図である。
【図１１】図１に示したクリップカッターの切断時の使用状態を示す断面図である。
【図１２】このクリップカッターのクリップ部の使用状態を示す平面図である。
【図１３】クリップカッターのクリップ部の使用状態を示す右側面図である。
【図１４】図１に示したクリップカッターのクリップ部の使用状態を示す底面図である。
【図１５】図１に示したクリップカッターのクリップ部の使用状態を示す正面図である。
【図１６】図１に示したクリップカッターのクリップ部の使用状態を示す背面図である。
【図１７】クリップカッターのクリップ部の使用状態を示す断面図である。
【発明を実施するための形態】
【００１０】
図１は、この発明の実施の形態に係るクリップカッターを示す平面図である。図２は、図１に示したクリップカッターを示す右側面図である。左側面図は右側面図と同様に現れる。図３は、図１に示したクリップカッターの底面図、図４は正面図、図５は背面図である。図６は、図１に示したクリップカッターを示す断面図であり、（ａ）は全体図、（ｂ）は刃の周囲の拡大図である。
【００１１】
このクリップカッター１００は、全体がプラスチック製であり、切断対象物Ｓを挟むクリップ部１と、クリップ部１の上面に設けたカッター部２とから構成される。クリップ部１は、下部片３及び上部片４とからなる。下部片３及び上部片４は、楕円形の挟み部５と、当該挟み部５から突出したつまみ部６とそれぞれを備える。つまみ部６の根元部分には、下部片３及び上部片４を軸７で連結して相対的に回動可能としている。この軸７は、コイルスプリング８の中央を貫通しており、当該コイルスプリング８の足は、上部片４のつまみ部６と下部片３のつまみ部６とに当接している。
【００１２】
下部片３及び上部片４の対向面には、多数の凸リブ９からなる狭持部１０が設けられている。この狭持部１０の構造は、凸リブ９の他、円柱状や三角錐等でも良い。この凸リブ９は下部片３及び上部片４において交互に配置され、先端が互いに隙間をもって噛み合うような形となる。また、当該凸リブ９は、挟んだ時に抜けないようにクリップ部１の横方向に形成している。前記つまみ部６は、クリップ部１を閉じた状態で後方に向けて広がるように設けられる。
【００１３】
カッター部２は、上部片４の上面に略長方形のカッター片１２を取り付けた構成である。当該カッター片１２は上部片４より小さく、上部片４の上に載るような格好で配置されている。カッター片１２の上面は指で押しやすいように平面的に形成されている。カッター片１２の後方端近傍には軸１３が設けられ、この軸１３にコイルスプリング１４が配置される。カッター片１２の後端にはつまみ部１５が形成される。つまみ部１５の下側（上部片４の表面との間）には所定の空間が確保され、つまみ部１５が動く余地が形成される。軸１３は、前記軸７よりも前方に位置する。これは、カッター片１２を押さえるときに軸７より後方（つまみ部６側）にあると、クリップ部１が開くように動作するので、使い勝手が良くないためである。同様の観点で、つまみ部１５は、軸７よりも前方に位置するようにするのがより好ましい。
【００１４】
また、カッター片１２の先端側の下部には、刃１６が設けられている。刃１６は、ネジ１７によりカッター片１２に対して固定されており、当該刃１６は、クリップ部１の横方向に向いている。刃１６の方向は、後述するが切断対象である袋や紙等がカッター片１２と上部片４との間を通ることができれば、いずれの方向でも良い。同図の例では、クリップ部１が楕円形をしており、長手方向である横方向に向けて刃１６が設けられている。
【００１５】
刃１６は、ネジ１７を外すことで交換可能としても良い。また、カッター片１２に対する固定方法はネジ１７に限定されず、溝に嵌め込んで接着する等の公知の技術を採用できる。刃１６には所謂両刃を用いる。これにより、いずれの方向にもカット可能になる。また、カッター部２の前記上部片４の上面の前記刃１６の対向する位置には、窪み１８が形成されており、カッター片１２が閉じている状態で前記窪み１８に刃１６の先端が入る。これにより、刃１６が切断対象物Ｓを完全に貫通するように突き刺さるようになる。
【００１６】
下部片３のクリップ部１の内部であって外側表面が平らになっている部分に相当する位置には、ネオジウム磁石が設けられている（図示省略）。磁力は下部片３の面を通って外部に及ぶため、金属面にくっつけることができる。
【００１７】
図７及び図８は、このクリップカッターの使用方法を示す説明図である。図９は、このクリップカッターの切断時の使用状態を示す右側面図である。図１０は、図１に示したクリップカッターの切断時の使用状態を示す正面図、図１１は断面図であり、（ａ）は全体図、（ｂ）は刃の周囲の拡大図である。
【００１８】
このクリップカッター１００では、カッター片１２のつまみ部１５を押して、図９〜図１１に示すように、カッター片１２の先端を開く。これにより、カッター片１２と上部片４との間に隙間ができるので、この隙間に切断対象物Ｓを挿入する。例えば、袋菓子の袋の端部を挿入する。この状態で、刃１６は、カッター片１２の下部から出ている。次に、カッター片１２のつまみ部１５を離し、カッター片１２を指で押して刃１６の先端を切断対象物Ｓに押し付ける。これにより、刃１６が切断対象物Ｓに刺さり、刃１６の先は窪み１８に入る。このまま、図８に示すように、クリップカッター１００を横方向にスライドさせると、前記刃１６により切断対象物Ｓが切断される。刃１６は両刃のためいずれの方向でも切断できる。即ち、右利きのユーザも左利きのユーザも不便なく使うことができる。
【００１９】
また、刃１６はカッター片１２の下部にあるため指に触れることがないし、カッター片１２の先端のひらく量は３ｍｍ〜７ｍｍ程度であるため、安全に切断対象物Ｓを切断できる。そして、必要な切断を終えたら、カッター片１２のつまみ部１５を押さえて刃１６を切断対象物Ｓから離脱させ、クリップカッター１００を離す。そのままつまみ部１５を離せば、刃１６は、カッター片１２と共に閉じて前記窪み１８に収納される。
【００２０】
図１２は、このクリップカッターのクリップ部の使用状態を示す平面図である。図１３は、クリップカッターのクリップ部の使用状態を示す右側面図である。左側面図は右側面図と同様に現れる。図１４は、図１に示したクリップカッターのクリップ部の使用状態を示す底面図、図１５は正面図、図１６は背面図である。図１７は、クリップカッターのクリップ部の使用状態を示す断面図である。
【００２１】
次に、袋菓子等の切断対象物Ｓの中にお菓子を入れたまま保存するときは、例えば袋の入口を丸めたり或いは折ったりして袋を閉じる。そして、つまみ部６を指でつまんでクリップ部１を開き、袋の丸めた部分を挟んで留める。これにより袋を閉じることができる。クリップ部１の狭持部１０は、多数の凸リブ９からなるので、袋をリブ同士で噛むように固定できる。
【００２２】
以上、この発明のクリップカッター１００によれば、カッター片１２を開いて切断対象物Ｓを挿入し、スライドさせることで袋等の切断対象物Ｓを簡単かつ安全に切断でき、切断対象物Ｓをクリップ部１で挟んで固定できる。また、カッター片１２を押さえ、切断対象物Ｓの袋等の端を持って力を入れてスライドできるため、多少厚いものであっても綺麗に切断できる。また、カッターとクリップが一体になっているので持ち運びやすい。更に、カッター片１２を開いて切断対象物Ｓを挿入し、刃１６を差し込んでからスライドさせることで切断するので、袋の中間位置からでも切断できる。このため、袋の端を少しだけ切断したいとき等に有用である。
【００２３】
なお、上記クリップ部１の形状は同図に示すようなものに限定されない。平面図において長方形でもよいし、円形でも良い。また、カッター部２のカッター片１２の形状も同図に示すようなものに限定されない。また、カッター部２を下部片４の上面に追加して設けても良い。クリップ部１の開閉方向とカッター部２の開閉方向は同じでなくても良い。
【符号の説明】
【００２４】
１００  クリップカッター
１  クリップ部
２  カッター部
３  下部片
４  上部片
５  挟み部
６  つまみ部
１２  カッター片
１５  つまみ部
１６  刃
【図１】
2013052107.tif 000003
【図２】
2013052107.tif 000004
【図３】
2013052107.tif 000005
【図４】
2013052107.tif 000006
【図５】
2013052107.tif 000007
【図６】
2013052107.tif 000008
【図７】
2013052107.tif 000009
【図８】
2013052107.tif 000010
【図９】
2013052107.tif 000011
【図１０】
2013052107.tif 000012
【図１１】
2013052107.tif 000013
【図１２】
2013052107.tif 000014
【図１３】
2013052107.tif 000015
【図１４】
2013052107.tif 000016
【図１５】
2013052107.tif 000017
【図１６】
2013052107.tif 000018
【図１７】
2013052107.tif 000019